(57)【特許請求の範囲】
【請求項１】
プリント基板に取付けられて、ＰＣカードとプリント基板とを電気的に接続するカードコネクタであって、
ＰＣカードに接続する複数の端子ピンをこのＰＣカードの幅方向に沿って配列したヘッダ部と、このヘッダ部の両側端部から延び、ＰＣカードの側縁部を、ＰＣカードの挿抜方向に沿って案内する一対の対向したガイドアームとを有するコネクタフレームと、
それぞれがこのコネクタフレームに装着されるボディ部と、このボディ部から延びてコネクタフレームとプリント基板との間に所定の間隔を保持するスタンドオフ部と、このスタンドオフ部の先端部からコネクタフレーム側に屈曲された支持板部と、この支持板部から延びてプリント基板の開口内に突出し、このプリント基板の反対側から締結具で締付けられる結合部とを有し、コネクタフレームをプリント基板に固定する複数対の取付けブラケットとを備え、
各取付けブラケットのボディ部とコネクタフレームとの一方に係止孔が設けられ、かつ、他方にはこの係止孔に挿入される保持爪が設けられ、各取付けブラケットは、これらの係止孔と保持爪とを噛合わせることにより、各ボディ部をコネクタフレームに固定され、取付けブラケットを反転させてスタンドオフ部を反対側に配置した反転位置と非反転位置とで、ＰＣカードの幅方向および挿抜方向に沿う各結合部の位置を同じ位置とし、プリント基板の任意に選択した側に取付け可能としたカードコネクタ。
【請求項２】
前記結合部は、ボディ部から離隔する方向にこの支持板部から突出しかつ内周面にねじを形成された円筒状突起を有する請求項１に記載のカードコネクタ。
【請求項３】
前記ヘッダ部は、ＰＣカードの厚さ方向に沿って互いに重ねられた２つの同一構造のヘッダボディを有し、これらのヘッダボディは、ＰＣカードの挿抜方向の一端側を、同じ側から挿入される各端子ピンと機械的および電気的に接続される小プリント基板で一体的に結合され、かつ、他端側を、前記一対のガイドアームで保持される請求項１に記載のカードコネクタ。
【請求項４】
前記ヘッダ部に装着されたＰＣカード抜去用のエジェクト機構と、前記ガイドアームの一方に沿って配置され、このエジェクト機構を作動するプッシュロッドとを備え、このプッシュロッドは、前記取付けブラケットの１つと一方のガイドアームとの間を、ＰＣカードの挿抜方向に沿って摺動自在に案内される請求項１に記載のカードコネクタ。
【請求項５】
ＰＣカードに接続される複数の端子ピンを配列したヘッダ部と、このヘッダ部の両側部でヘッダ部の後端部から後方に延びてＰＣカードの側縁部を挿抜方向に案内する一対の対向したガイドアームとを有し、プリント基板に取付けられて、ＰＣカードとプリント基板とを電気的に接続するカードコネクタであって、
前記一対のガイドアームは、互いに同一構造に形成され、各ガイドアームは、金属板で形成された心材部と、この心材部と一体に形成された樹脂部とを有し、この樹脂部に、前記ＰＣカードの側縁部を案内するガイド溝が形成されるカードコネクタ。
【請求項６】
前記ガイドアームは、樹脂部から突出して前記ヘッダ部の後端部に開口した結合孔内に挿入可能な少なくとも１の結合腕部を有する請求項５に記載のカードコネクタ。
【請求項７】
ＰＣカードに接続される複数の端子ピンを配列したヘッダ部とこのヘッダ部の両側端部から延びてＰＣカードの側縁部を挿抜方向に案内する一対の対向したガイドアームとを有するコネクタフレームを備えたカードコネクタを、プリント基板に取付けるための取付けブラケットであって、
コネクタフレームに装着されるボディ部と、
このボディ部から延びてコネクタフレームとプリント基板との間に所定の間隔を保持するスタンドオフ部と、
このスタンドオフ部の先端部からコネクタフレーム側に屈曲された支持板部と、
この支持板部からから延びてプリント基板の開口内に突出し、このプリント基板の反対側から締結具で締付けられる結合部とを備え、
前記ボディ部は、それぞれコネクタフレームに係合する４つの舌片部を有し、これらの４つの舌片部は互いに直交する２つの対称軸線が形成される位置に配置される取付けブラケット。
【発明の詳細な説明】
【０００１】
【発明の属する技術分野】
本発明は、プリント基板に取付けられて、ＰＣカードとプリント基板とを電気的に接続するカードコネクタに関する。
【０００２】
【従来の技術】
一般に、ノート型コンピュータ等の電子機器の小形化と拡張性との双方を高めるために、各種の機能を持つＰＣカードを電子機器に接続する様々な形式のカードコネクタが開発されている。
このようなカードコネクタは、一般に、ＰＣカードの挿入用スロットを形成する一対のガイドアームとこれらのガイドアームを一体的に結合するヘッダ部とを有するコネクタフレームを備え、このコネクタフレームを介してプリント基板にねじ止めされる。また、各種の厚さのＰＣカードに対応させるために２つのヘッダを互いに重ねたカードコネクタの場合には、金属製の薄板で形成されたブラケットにより、これらのヘッダおよびガイドアームを一体的に連結すると共に、このようなブラケットを通じてプリント基板にねじ止めされる。いずれの場合も、カードコネクタとプリント基板との間に、僅かな間隙が形成される。
【０００３】
【発明が解決しようとする課題】
電子機器の近年における小形化および高機能化により、これらの電子機器の必要に応じて、カードコネクタをプリント基板の上側あるいは下側に取付けることが望ましい場合がある。
しかし、プリント基板のいずれの側に設ける場合であっても、ＰＣカードの誤挿入を防止するために、極性すなわち挿入する際の表面の向きが常に同じ方向であることが望ましい。このため、従来のカードコネクタをプリント基板の反対側に取付ける場合には、ヘッダ部内の端子ピンの配列を代える等の面倒な組付け作業が必要であった。一方、プリント基板の上側あるいは下側等の取付け位置に応じた種々の構造のコネクタフレームおよびブラケット等を予め準備しておく場合には、部品点数が増大し、各部品の製造公差が積算されることにより、カードコネクタの寸法精度が低下する。
本発明は、このような事情に基づいてなされたもので、プリント基板のいずれの側にも極めて簡単かつ正確に取付けることのできる部品点数の少ないカードコネクタを提供することを目的とする。
【０００４】
【課題を解決するための手段】
上記目的を解決する本発明のカードコネクタは、プリント基板に取付けられて、ＰＣカードとプリント基板とを電気的に接続するカードコネクタであって、ＰＣカードに接続する複数の端子ピンをこのＰＣカードの幅方向に沿って配列したヘッダ部と、このヘッダ部の両側端部から延び、ＰＣカードの側縁部を、ＰＣカードの挿抜方向に沿って案内する一対の対向したガイドアームとを有するコネクタフレームと、それぞれがこのコネクタフレームに装着されるボディ部と、このボディ部から延びてコネクタフレームとプリント基板との間に所定の間隔を保持するスタンドオフ部と、このスタンドオフ部の先端部からコネクタフレーム側に屈曲された支持板部と、この支持板部から延びてプリント基板の開口内に突出し、このプリント基板の反対側から締結具で締付けられる結合部とを有し、コネクタフレームをプリント基板に固定する複数対の取付けブラケットとを備え、各取付けブラケットのボディ部とコネクタフレームとの一方に係止孔が設けられ、かつ、他方にはこの係止孔に挿入される保持爪が設けられ、各取付けブラケットは、これらの係止孔と保持爪とを噛合わせることにより、各ボディ部をコネクタフレームに固定され、取付けブラケットを反転させてスタンドオフ部を反対側に配置した反転位置と非反転位置とで、ＰＣカードの幅方向および挿抜方向に沿う各結合部の位置を同じ位置とし、プリント基板の任意に選択した側に取付け可能としたことに特徴がある。
【０００５】
このカードコネクタによれば、取付けブラケットを反転させても、プリント基板とコネクタフレームとの間の支持板部に設けられた各結合部がＰＣカードの幅方向および挿抜方向に沿って同じ位置に配置されるため、取付けブラケットの方向を変更するだけで、プリント基板のいずれの側にも簡単に装着される。
【０００６】
結合部が、ボディ部から離隔する方向にこの支持板部から突出しかつ内周面にねじを形成された円筒状突起を有する場合には、円筒状突起により、プリント基板に対してカードコネクタを位置決めすることができる。
【０００７】
また、ヘッダ部は、ＰＣカードの厚さ方向に沿って互いに重ねられた２つの同一構造のヘッダボディを有し、これらのヘッダボディは、ＰＣカードの挿抜方向の一端側を、同じ側から挿入される各端子ピンと機械的および電気的に接続される小プリント基板で一体的に結合され、かつ、他端側を、前記一対のガイドアームで保持されることが好ましい。この場合には、同一構造のヘッダボディにより、種々の厚さのＰＣカードに対応したカードコネクタが形成される。
【０００８】
ヘッダ部に装着されたＰＣカード抜去用のエジェクト機構と、ガイドアームの一方に沿って配置され、このエジェクト機構を作動するプッシュロッドとを備え、このプッシュロッドは、取付けブラケットの１つと一方のガイドアームとの間を、ＰＣカードの挿抜方向に沿って摺動自在に案内されるのが好ましい。この場合には、プッシュロッドのための別個のガイド部材を必要とせず、部品点数が減少される。
【０００９】
また、ＰＣカードに接続される複数の端子ピンを配列したヘッダ部とこのヘッダ部の両側部における後端部から後方に延びてＰＣカードの側縁部を挿抜方向に案内する一対の対向したガイドアームとを有し、プリント基板に取付けられて、ＰＣカードとプリント基板とを電気的に接続するカードコネクタであって、これらの一対のガイドアームは、互いに同一構造に形成され、各ガイドアームは、金属板で形成された心材部と、この心材部と一体に形成された樹脂部とを有し、この樹脂部に、ＰＣカードの側縁部を案内するガイド溝が形成されるカードコネクタが提供される。このカードコネクタにおいては、一体に成形された同一構造のガイドアームにより、製造が容易であると共に部品点数を減少することができる。また、心材部から延びる接触片をこのガイド溝内に突出させる場合には、ＰＣカードがヘッダ部に達する前に、接触片を通じてこのＰＣカードを接地することができ、大きな静電圧差によるショックを防止することができる。
【００１０】
このガイドアームが、樹脂部から突出してヘッダ部の後端部に開口した結合孔内に挿入可能な少なくとも１の結合腕部を有する場合には、着脱が極めて容易となり、少ない工程数でカードコネクタを組立てることができる。
【００１１】
更に、ＰＣカードに接続される複数の端子ピンを配列したヘッダ部とこのヘッダ部の両側端部から延びてＰＣカードの側縁部を挿抜方向に案内する一対の対向したガイドアームとを有するコネクタフレームを備えたカードコネクタを、プリント基板に取付けるための取付けブラケットであって、コネクタフレームに装着されるボディ部と、このボディ部から延びてコネクタフレームとプリント基板との間に所定の間隔を保持するスタンドオフ部と、このスタンドオフ部の先端部からコネクタフレーム側に屈曲された支持板部と、この支持板部からから延びてプリント基板の開口内に突出し、このプリント基板の反対側から締結具で締付けられる結合部とを備え、前記ボディ部は、それぞれコネクタフレームに係合する４つの舌片部を有し、これらの４つの舌片部は互いに直交する２つの対称軸線が形成される位置に配置される取付けブラケットが提供される。
以下、本発明の実施の形態について添付図面を参照しつつ詳細に説明する。
【００１２】
【実施の形態】
図１から図７は、本発明の好ましい実施の形態によるカードコネクタ１０を示す。本実施の形態におけるカードコネクタ１０はプリント基板Ｐ（図７）の下側の面にねじ止めされるものである。
図１に示すように、このカードコネクタ１０は、ＰＣカードＣに接続する複数の端子ピン１２を幅方向に沿って配列したヘッダ部１４と、このヘッダ部の両側端部から延びる一対の対向したガイドアーム１６とを有するコネクタフレームを１８を備える。
【００１３】
ヘッダ部１４には、絶縁材により同一構造に形成された２つのヘッダボディ１４ａがＰＣカードＣの厚さ方向に重ねて配置される。これらのヘッダボディ１４ａは、端子ピン１２の先端側を小プリント基板２０のスルーホール３０に挿通させ、これらのスルーホールに半田付けされている。また、各ヘッダボディ１４ａの後端側は、ガイドアーム１６により両側端部で一体的に連結されており、したがって、各ヘッダボディ１４ａはこれらの小プリント基板２０と一対のガイドアーム１６とにより、強固な一体構造に形成される。そして、各ガイドアーム１６は互いに同一構造に形成してあり、それぞれのガイド溝２２を互いに対向させて配置される。各種の厚さのＰＣカードＣが、その側縁部をこれらのガイド溝２０で案内され、挿抜方向Ｅに沿って移動することができる。符号２４はシールドプレート、符号２６（図３）はＰＣカードＣの表面に接触するカードバスシールドであり、いずれも所定間隔で突出する接地ピンを小プリント基板２０のスルーホールに挿通されて半田付けされる。
【００１４】
図４および図５は、このカードコネクタ１０の各部材を組立て手順にしたがって示す。
図４の（Ｂ）の中央に示すように、上段または下段側の各ヘッダボディ１４ａは、シールドプレート２４およびカードバスシールド２６を取付けられ、更に、小プリント基板２０とエジェクト機構２８とを取付けられる。
【００１５】
図４の（Ａ）に示すように、小プリント基板２０には、各ヘッダボディ１４ａの２列に配列された端子ピン１２を受入れるスルーホール３０の列が形成されている。また、これらの端子ピン１２が挿通される２列のスルーホール３０を上下方向すなわちＰＣカードＣの厚さ方向から挟む位置に、シールドプレート２４およびカードバスシールド２６の接地ピンを受入れるための所定間隔のスルーホール３１の列が配置されている。このため、各ヘッダボディ１４ａに対応して、それぞれ４列のスルーホール３０，３１が配置される。そして、各ヘッダボディ１４ａに対応する４列のスルーホール３０，３１は、それぞれ別個の面に形成された導電パッド３２に電気的に接続されており、これにより、小プリント基板２０の両面のエッジ部に沿って配列された導電パッド３２は、それぞれ別個のヘッダボディ１４ａの端子ピン１２および接地ピンと電気的に接続される。
【００１６】
更に、小プリント基板２０の両側端部から突片３４が突出しており、これらの突片３４はヘッダボディ１４ａに設けられた突条１５に沿って案内されるガイドとして作用すると共に、互いに重ねられたヘッダボディ１４ａを所定間隔に保持する作用をなす。また、小プリント基板２０がヘッダボディ１４ａに完全に装着された状態では、この突片３４が小突起１７により係止され、所定位置に保持される。
【００１７】
各ヘッダボディ１４ａに装着されるエジェクト機構２８は、ヘッダボディ１４ａ上に配置されたエジェクト板３６と、このエジェクト板３６を駆動するリンクプレート３８とを有する。エジェクト板３６は、薄い金属板で形成され、外側面に形成されたガイドスロット３５（図１および図２）によりＰＣカードＣの挿抜方向Ｅに沿って案内される。後端側すなわちＰＣカードを抜去する方向に移動するときに、ヘッダボディ１４ａの凹部１４ｂ内に突出する係止片３６ａをＰＣカードの先端縁に当接させ、このＰＣカードを共に移動する。この係止片３６ａは、挿抜方向Ｅから見て、左右対称位置に配置するのが好ましい。
【００１８】
このエジェクト板３６を駆動するリンクプレート３８は、エジェクト板３６と同様に薄い金属板で形成され、図４の（Ｂ）の下側に示すように、リンクプレート３８は、エジェクト板３６とはさみ状に噛み合わされる。このリンクプレート３８は、装着孔４０ａを、ヘッダボディ１４ａから突出する装着突起４０ｂに嵌合され、この装着孔４０ａおよび装着突起４０ｂにより、ヘッダボディ１４ａに対して回動自在に装着される。また、リンクプレート３８の略中央部から突出する突出部３９がエジェクト板３６の略中央部に形成された開口３７内に突入し、この開口３７と突出部３９との係合により、リンクプレート３８とエジェクト板３６との間で力が伝達される。
【００１９】
このリンクプレート３８の先端部は、突出部３９を越えて係止片３６ａの近部まで延びるのが好ましい。この場合には、リンクプレート３８の先端部にヘッダボディ１４ａの凹部１４ｂ内に突出する係止突片（図示しない）を設けることができる。エジェクト板３６が係止片３６ａを介してＰＣカードＣを端子ピン１２から抜去した後、更にこのＰＣカードＣを抜去方向に押出すことが可能となり、ＰＣカードＣの取扱いが容易となる。また、このリンクプレート３８の反対側の端部からは、後述するプッシュロッド５２と係合するための係合片５６が突出する。
【００２０】
このように、エジェクト機構２８を装着した上下段の一方のヘッダボディ１４ａは、小プリント基板２０を取付けられた後、他方のヘッダボディ１４ａも同様に、この小プリント基板２０に装着される。各端子ピン１２および接地ピンを小プリント基板２０のスルーホール３０，３１に挿通して半田付けすることにより、ヘッダボディ１４ａと小プリント基板２０とが強固に結合される。更に、上下に重ねられた各ヘッダボディ１４ａの間は、小プリント基板２０の突片３４により所定の間隔に保持される。
【００２１】
各ヘッダボディ１４ａの後端側は、ガイドアーム１６により結合される。
各ヘッダボディ１４ａの両側端部に装着されるガイドアーム１６は、互いに同一構造に形成してあり、したがって、その一方について説明する。
【００２２】
図５の（Ｂ）および（Ｃ）に示すように、各ガイドアーム１６は、金属板を折曲げ成形した心材部４２と共に樹脂材料製の樹脂部４４を射出成形した一体構造を有し、この樹脂部４４に、ＰＣカードＣの側縁部を案内するガイド溝２２を形成してあり、心材部４２から延びる接触片４３（図５の（Ｃ）参照）がこのガイド溝２２内に突出する。このガイドアーム１６は、その先端部から略平行な２本の金属板製の結合腕部４６を突出させてあり、これらの結合腕部４６を各ヘッダボディ１４ａの後端部に開口する結合孔４８（図２）内に挿入することにより、互いに重ねられた２つのヘッダボディ１４ａの後端側を結合することができる。これらの結合腕部４６の表面部に小突起あるいは凹部を設け、ヘッダボディ１４ａの樹脂材料との摩擦力を増大させるようにしてもよい。このガイドアーム１６は、図５の（Ｃ）に明瞭に示すように、長手方向の中心線４５を中心とした対称形状を有し、したがって、ヘッダ部１４のいずれの側の側端部にも取付けることができる。また、一体形成であるため、製造が容易である。なお、心材部４２からガイド溝２２内に突出する接触片４３は、ＰＣカードＣがヘッダ部１４に達する前に、このＰＣカードＣに接触し、この接触片４３を通じてこのＰＣカードＣを接地させることができ、大きな静電圧差によるショックを防止することができる。
【００２３】
更に、このガイドアーム１６は、中央の樹脂部４４ａと両側の樹脂部４４ｂとが心材部４２よりも外側面側に突出し、これらの樹脂部４４ａ，４４ｂ間に略平行な２つの凹部５０（図５の（Ｃ））が形成されている。この凹部５０に、図５の（Ｄ）に示すプッシュロッド５２が配置され、この凹部５０内を長手方向に摺動することができる。
【００２４】
このプッシュロッド５２は、凹部５０内に配置されるロッド部５４と、エジェクト機構２８のリンクプレート３８の一端に形成された係合片５６に係合するフック部５８と、電子機器の外面から突出されるプッシュボタン６０とを有する。このロッド部５４には、開口６４（図１）を設けてあり、ガイドアーム１６から突出するストッパ６２を収容する。このストッパ６２と開口６４とにより、プッシュロッド５２の移動限度が規定され、エジェクト機構２８のリンクプレート３８等に無理な力が作用するのが防止される。
【００２５】
図１に示すように、このカードコネクタ１０は、ヘッダ部１４に装着される第１対の取付けブラケット７０と、ガイドアーム１６に装着される第２対の取付けブラケット８０との２つの対を形成する取付けブラケットにより、プリント基板Ｐに取付けられる。
【００２６】
ヘッダ部１４に装着される第１対の取付けブラケット７０は、金属板から形成されてボディ部７２とこのボディ部７２から延びるスタンドオフ部７４とを有する。ボディ部７２からは、それぞれ舌片部を形成する４つの保持爪７６が突出する。これらの４つの保持爪７６すなわち４つの舌片部は互いに直交する２つの対称軸線が形成される位置に配置される。また、保持爪７６が挿入されるそれぞれの係止孔６６は、各ヘッダボディ１４ａの先端側にそれぞれ２つづつほぼ同じ形状でかつ互いに略平行に設けてあり、これらの４つの係止孔６６もそれぞれ互いに直交する２つの対称軸線が形成される位置に配置される。したがって、取付けブラケット７０を図１に示す非反転位置、あるいは、この取付けブラケット７０の上下を反転させた反転位置のいずれの状態でも、これらの４つの保持爪７６と４つの係止孔６６とを噛合わせることができる。
【００２７】
このボディ部７２からはスタンドオフ部７４が延びる。このスタンドオフ部７４の先端部は、保持爪７６と同じ側に屈曲された支持板部７８を有する。ボディ部７２から離隔する方向に向けて、この支持板部７８から結合部を形成する円筒状突起７９が突出しており、この円筒状突起７９の中心軸線は上述の２つの直交する対称軸線の一方とに共通する。この円筒状突起７９の内周面はねじを形成され、この円筒状突起７９により、締結具すなわちプリント基板Ｐに挿通された取付けねじ１００（図７）に螺合し、締付けることができる。更に、このねじ孔を形成した円筒状突起７９により、プリント基板Ｐに対してこのカードコネクタ１０を位置決めする際の位置決めあるいは仮止め手段として作用させることができる。
【００２８】
一方、ガイドアーム１６に装着される第２対の取付けブラケット８０も、金属板から形成されたボディ部８２とこのボディ部８２から延びるスタンドオフ部８４とを有する。このボディ部８２の上縁部と下縁部とからそれぞれ２つの舌片部８３が折曲げ形成され、これらの各舌片部８３を貫通して係止孔８６が形成されている。これらの係止孔８６を、それぞれガイドアーム１６の上下の各縁部から突出した保持爪９６と噛合わせることにより、取付けブラケット８０のガイドアーム１６の長手方向および横方向に対する移動を防止し、更に、ガイドアーム１６を上下方向から挟む舌片部８３により、高さ方向の移動を防止することができる。この保持爪９６は図５の（Ｃ）に示すように、金属製の心材４２と一体に形成するのが好ましい。この第２対の取付けブラケット８０の４つの舌片部８３および係止孔８６と、ガイドアーム１６の４つの保持爪９６とも、それぞれ互いに直交する２つの対称軸線が形成される位置に配置されている。
【００２９】
第１対の取付けブラケット７０と同様に、第２対の取付けブラケット８０のボディ部８２からスタンドオフ部８４が延び、このスタンドオフ部８４の先端部からは支持板部８８が屈曲されて形成されている。この支持板部８８も、舌片部８３と同じ側に屈曲され、ボディ部８２から離隔する方向に向けて、ねじ孔を形成した円筒状突起８９が突出し、結合部を形成している。この円筒状突起８９の中心軸も上記の２つの対称軸線の一方に一致する。
【００３０】
この第２対の取付けブラケット８０は、プッシュロッド５２をガイドアーム１６の凹部５０（図５の（Ｃ））内に摺動可能に保持するガイドとしても作用させることができる。図６の（Ａ）から（Ｄ）はプッシュロッド５２が配置される側の取付けブラケット８０と、プッシュロッドが配置されない側の取付けブラケット８０ａとを示す。
【００３１】
図６の（Ａ）および（Ｃ）から明らかなように、プッシュロッド５２側の取付けブラケット８０に対し、プッシュロッドが配置されない側の取付けブラケット８０ａは、それぞれストッパ６２（図５の（Ｃ））および中央の樹脂材料４４ａの突出部を受入れるための逃げ部あるいは開口９２，９４を有する。また、取付けブラケット８０ａでは、舌片部８３ａの突出量が舌片部８３よりも少なく、ガイドアーム１６の外側面に密に接触することができる。
【００３２】
このような取付けブラケット７０，８０をプリント基板Ｐに取付ける場合は、図７に示すように、プリント基板Ｐの開口すなわち取付け孔内に結合部を形成する円筒状突起７９，８９を挿入し、反対側からワッシャ１０２を介して挿入した取付けねじ１００すなわち締結具を、この円筒状突起７９，８９のねじ孔内にねじ込み、締付ける。プリント基板Ｐの開口すなわち取付け孔を、円筒状突起７９，８０の外径よりも僅かに大径に形成することにより、プリント基板Ｐに対するカードコネクタ１０の位置決めを極めて容易に行うことができる。また、プリント基板Ｐに最も近接する円筒状突起７９，８９に雌ねじが形成され、このねじ孔に取付けねじ１００を螺合することにより、取付けねじ１００は長さを短くすることができ、カードコネクタ１０を軽量化することができる。
【００３３】
なお、図１では、プッシュロッド５２の配置されるガイドアーム１６のヘッダ部１４に隣接する部位に、更にガイドブラケット１０４が取付けられており、このガイドブラケット１０４は、円筒状突起が設けられない点を除き、取付けブラケット８０と同様な構造を有する。
【００３４】
このカードコネクタ１０をプリント基板Ｐの反対側に取付ける場合は、各取付けブラケット７０，８０を反転させて取付ける共に、小プリント基板２０も反転させる。これにより、結合部である円筒状突起７９，８９の位置したがってねじ孔の位置は、ＰＣカードＣの挿抜方向ＥおよびＰＣカードＣの幅方向では変化せず、したがって、ＰＣカードＣの同一の極性を維持しつつプリント基板Ｐの反対側に取付けることができる。この場合、小プリント基板２０も反転されるため、導電パッド３２は同じ側で同じヘッダボディ１４ａに接続される。
【００３５】
更に、各取付けブラケット７０，８０は、ねじ孔を形成した支持板部７８，８８がコネクタフレーム１８とプリント基板Ｐとの間に配置されるため、カードコネクタ１０を取付けるために必要とする領域が極めて僅かですむ。
【００３６】
図８は、取付けブラケット７０，８０だけを図１に示す非反転位置から反転位置に反転させてそれぞれヘッダ部１４およびガイドアーム１６に装着した状態を示す。この状態でも、ヘッダボディ１４ａの極性すなわちＰＣカードＣの挿入方向は図１に示す場合と同じに維持され、また、プリント基板Ｐの取付け孔等の配置も変更することなくそのまま用いることができる。
【００３７】
なお、上述の実施の形態では、取付けブラケットの結合部を形成する円筒状突起７９，８９の内周面に雌ねじを形成してあるが、これに代え、この円筒状突起７９，８９の外周面に雄ねじを形成してもよい。この場合には、円筒状突起７９，８９は中実構造としてもよく、締結具として取付けナットを用いる。更に、このような取付けねじ１００あるいは取付けナットにに代え、締結具としてリベットを用いてもよく、この場合には、円筒状突起７９，８９に雌ねじあるいは雄ねじを形成する必要はない。
【００３８】
【発明の効果】
以上明らかなように、本発明のカードコネクタによると、取付けブラケットを反転させてスタンドオフ部の支持板部を反対側に配置した反転位置と非反転位置とで、この支持板部に設けられた各結合部のＰＣカードの幅方向および挿抜方向に沿う位置を同じ位置に保持することにより、プリント基板のいずれの側にも極めて簡単かつ正確に取付けることのできる部品点数の少ないカードコネクタを提供することができる。更に、各ガイドアームを同一構造とすることにより、更にカードコネクタの部品点数を減少することができる。
【図面の簡単な説明】
【図１】本発明の好ましい実施の形態によるカードコネクタを分解して示す概略的な斜視図である。
【図２】図１のカードコネクタの先端部の一部を異なる方向から見た状態で示す概略的な斜視図である。
【図３】更に他の方向から見た状態の概略的な斜視図である。
【図４】図１のカードコネクタのヘッダ部を示し、（Ａ）は小プリント基板の概略図、（Ｂ）はヘッダボディに小プリント基板とエジェクト装置とを組付ける状態を概略的に示す説明図である。
【図５】図４で組立てられたヘッダ部にガイドアームを取付ける状態を示し、（Ａ）は図４で組付けられたヘッダ部の概略的な平面図、（Ｂ）はガイドアームの概略的な平面図、（Ｃ）は（Ｂ）のＣ−Ｃの方向から見た状態の概略的な側面図、（Ｄ）はガイドアームに取付けられてエジェクト機構を作動するためのプッシュロッドの概略図である。
【図６】ガイドアームに装着される取付けブラケットを示し、（Ａ）はプッシュロッド側のガイドアームに取付けられる取付けブラケットの側面図、（Ｂ）は（Ａ）のＢ−Ｂの方向から見た状態の底面図、（Ｃ）はプッシュロッドのない側のガイドアームに取付けられる取付けブラケットの側面図、（Ｄ）は（Ｃ）のＤ−Ｄの方向から見た状態の底面図である。
【図７】取付けブラケットをプリント基板にねじで固定する状態の概略的な断面図である。
【図８】各取付けブラケットを図１に示す非反転位置から反転させて反転位置に装着した状態のカードコネクタを示す平面図である。
【符号の説明】
１０…カードコネクタ、１２…端子ピン、１４…ヘッダ部、１４ａ…ヘッダボディ、１６…ガイドアーム、１８…コネクタフレーム、２０…小プリント基板、２２…ガイド溝、２８…エジェクト機構、５２…プッシュロッド、７０，８０，８０ａ…取付けブラケット、７２，８２…ボディ部、７４，８４…スタンドオフ部、６６，８６…係止孔、７６，９６…保持爪、７８，８８…支持板部、７９，８９…円筒状突起、１００…取付けねじ、Ｃ…ＰＣカード、Ｐ…プリント基板。
【図１】
0003961613.tif 000002
【図２】
0003961613.tif 000003
【図３】
0003961613.tif 000004
【図４】
0003961613.tif 000005
【図５】
0003961613.tif 000006
【図６】
0003961613.tif 000007
【図７】
0003961613.tif 000008
【図８】
0003961613.tif 000009